(57)【要約】【課題】香り成分が室内に拡散してしまうことを抑制し、使用者が画像形成装置を使用するたびに安定した強度の香りを提供する。【解決手段】排気口と吸気口を有する外装部材と、装置本体内の空気を吸引して排気口から外部へ排出する排気手段と、揮散性薬剤を内部に収容する香り発生手段と、吸気口から装置本体の外気に含まれる揮散性薬剤の揮散成分を吸気する吸気手段と、を備え、吸気口が、装置本体の上下方向において排気口より少なくとも下方に、かつ、装置本体の記録媒体排出部より少なくとも下方に設けられている。【選択図】図１
2016139033.tif 000002
【特許請求の範囲】
【請求項１】
排気口と吸気口を有する外装部材と、
装置本体内の空気を吸引して前記排気口から外部へ排出する排気手段と、
揮散性薬剤を内部に収容する香り発生手段と、
前記吸気口から前記装置本体の外気に含まれる前記揮散性薬剤の揮散成分を吸気する吸気手段と、を備えた、
ことを特徴とする画像形成装置。
【請求項２】
前記吸気口が、前記装置本体の上下方向において前記排気口より少なくとも下方に設けられている、
ことを特徴とする請求項１に記載の画像形成装置。
【請求項３】
前記吸気口が、前記装置本体の記録媒体排出部より少なくとも下方に設けられている、
ことを特徴とする請求項１に記載の画像形成装置。
【請求項４】
前記記録媒体を搬送する記録媒体搬送路を露出させるように開閉する開閉扉の開閉を検知する開閉検知手段を備え、
前記開閉検知手段が前記開閉扉の閉動作を検知した場合、前記吸気手段を駆動させる、
ことを特徴とする請求項１ないし３のいずれか１項に記載の画像形成装置。
【請求項５】
予め設定された領域内で移動体を検知可能な移動体検知手段を備え、
前記移動体検知手段により検知された前記移動体が前記予め定められた領域内において前記移動体検知手段により検知されなくなったときに、前記吸気手段を駆動させる、
ことを特徴とする請求項１ないし３のいずれか１項に記載の画像形成装置。
【請求項６】
操作者の指示を受け付け、前記指示の内容を表示する操作表示手段を備え、
前記操作表示手段により前記操作者の前記指示が受け付けなくなって予め定められた時間が経過したときに、前記吸気手段を駆動させる、
ことを特徴とする請求項１ないし３のいずれか１項に記載の画像形成装置。
【請求項７】
前記揮散成分を検出する揮散成分検知手段を備え、
前記揮散成分検知手段が検知した値が予め定められた閾値を超えている場合に、前記吸気手段を駆動させる、
ことを特徴とする請求項１ないし３のいずれか１項に記載の画像形成装置。
【請求項８】
予め定められた時間が経過したときに、前記吸気手段を停止する、
ことを特徴とする請求項１ないし３のいずれか１項に記載の画像形成装置。
【請求項９】
前記香り発生手段が、前記揮散性薬剤から揮散する揮散成分を通過させる開閉可能な蓋体を備え、前記排気手段で前記揮散成分を前記装置本体の外部に放出する場合に、前記蓋体は開いている、
ことを特徴とする請求項１ないし８のいずれか１項に記載の画像形成装置。
【請求項１０】
前記吸気手段が吸気している場合、前記蓋体は閉じている、
ことを特徴とする請求項９に記載の画像形成装置。
【請求項１１】
前記香り発生手段の前記揮散性薬剤は、前記装置本体内の動作時に前記装置本体の機内で発生する熱によって揮散が助長される、
ことを特徴とする請求項１ないし１０のいずれか１項に記載の画像形成装置。
【請求項１２】
前記装置本体内の動作時に前記装置本体の機内で発生する熱は、前記装置本体内に配置された加熱部材によって伝導され、前記前記装置本体に設けた排気手段から空気流とともに放出される熱である、
ことを特徴とする請求項１ないし１０のいずれか１項に記載の画像形成装置。
【請求項１３】
トナー像を形成するトナー像形成手段と、
前記トナー像形成手段によって形成されたトナー像を記録媒体に転写させる転写手段と、
前記転写手段の上流側に配置され、前記転写手段に向けて前記記録媒体を送り出す給紙手段と、
加熱されることで前記記録媒体に前記トナー像を定着する定着手段と、
前記定着手段の下流側に設けられ、前記定着手段により前記トナー像が定着された前記記録媒体を排出する排出手段と、
前記排出手段と前記給紙手段との間に略垂直方向に伸びる記録媒体搬送手段と、を備えた、  
ことを特徴とする請求項１ないし１２のいずれか１項に記載の画像形成装置。
【発明の詳細な説明】
【技術分野】
【０００１】
本発明は、画像形成装置に関する。
【背景技術】
【０００２】
装置内の気体を外部に強制排気するファンと、処理中に装置内で発生するオゾンの濃度を低減するためのフィルタと、排気用の排気口とを備えた電子写真式の画像形成装置の排気方式において、ファンと排気口との間に芳香剤を有する画像形成装置の排気方式が知られている（特許文献１）。
【先行技術文献】
【特許文献】
【０００３】
【特許文献１】特開平２−２７５９６９号公報
【発明の概要】
【発明が解決しようとする課題】
【０００４】
従来の技術では、画像形成装置の周辺環境へ香りを連続して提供する場合、香り成分が室内に充満し、香りの強度が強くなりすぎるという問題があった。
本発明は、香り成分が室内に拡散してしまうことを抑制し、使用者が画像形成装置を使用するたびに安定した強度の香りを提供することを目的とする。
【課題を解決するための手段】
【０００５】
前記課題を解決するために、請求項１に記載の画像形成装置は、
排気口と吸気口を有する外装部材と、
装置本体内の空気を吸引して前記排気口から外部へ排出する排気手段と、
揮散性薬剤を内部に収容する香り発生手段と、
前記吸気口から前記装置本体の外気に含まれる前記揮散性薬剤の揮散成分を吸気手段と、
を備えた、
ことを特徴とする。
【０００６】
請求項２記載の発明は、請求項１に記載の画像形成装置において、
前記吸気口が、前記装置本体の上下方向において前記排気口より少なくとも下方に設けられている、
ことを特徴とする。
【０００７】
請求項３記載の発明は、請求項１に記載の画像形成装置において、
前記吸気口が、前記装置本体の記録媒体排出部より少なくとも下方に設けられている、
ことを特徴とする。
【０００８】
請求項４記載の発明は、請求項１ないし３のいずれか１項に記載の画像形成装置において、
前記記録媒体を搬送する記録媒体搬送路を露出させるように開閉する開閉扉の開閉を検知する開閉検知手段を備え、
前記開閉検知手段が前記開閉扉の閉動作を検知した場合、前記吸気手段を駆動させる、
ことを特徴とする。
【０００９】
請求項５に記載の発明は、請求項１ないし３のいずれか１項に記載の画像形成装置において、
予め設定された領域内で移動体を検知可能な移動体検知手段を備え、
前記移動体検知手段により検知された前記移動体が前記予め定められた領域内において前記移動体検知手段により検知されなくなったときに、前記吸気手段を駆動させる、
ことを特徴とする。
【００１０】
請求項６に記載の発明は、請求項１ないし３のいずれか１項に記載の画像形成装置において、
操作者の指示を受け付け、前記指示の内容を表示する操作表示手段を備え、
前記操作表示手段により前記操作者の前記指示が受け付けなくなって予め定められた時間が経過したときに、前記吸気手段を駆動させる、
ことを特徴とする。
【００１１】
請求項７に記載の発明は、請求項１ないし３のいずれか１項に記載の画像形成装置において、
前記揮散成分を検出する揮散成分検知手段を備え、
前記揮散成分検知手段が検知した値が予め定められた閾値を超えている場合に、前記吸気手段を駆動させる、
ことを特徴とする。
【００１２】
請求項８に記載の発明は、請求項１ないし３のいずれか１項に記載の画像形成装置において、
予め定められた時間が経過したときに、前記吸気手段を停止する、
ことを特徴とする。
【００１３】
請求項９記載の発明は、請求項１ないし８のいずれか１項に記載の画像形成装置において、
前記香り発生手段が、前記揮散性薬剤から揮散する揮散成分を通過させる開閉可能な蓋体を備え、前記排気手段で前記揮散成分を前記装置本体の外部に放出する場合に、前記蓋体は開いている、
ことを特徴とする。
【００１４】
請求項１０記載の発明は、請求項９に記載の画像形成装置において、
前記吸気手段が吸気している場合、前記蓋体は閉じている、
ことを特徴とする。
【００１５】
請求項１１記載の発明は、請求項１ないし１０のいずれか１項に記載の画像形成装置において、
前記香り発生手段の前記揮散性薬剤は、前記装置本体内の動作時に前記装置本体の機内で発生する熱によって揮散が助長される、
ことを特徴とする。
【００１６】
請求項１２記載の発明は、請求項１１に記載の画像形成装置において、
前記装置本体内の動作時に前記装置本体の機内で発生する熱は、前記装置本体内に配置された加熱部材によって伝導され、前記前記装置本体に設けた排気手段から空気流とともに放出される熱である、
ことを特徴とする。
【００１７】
請求項１３に記載の発明は、請求項１ないし１２のいずれか１項に記載の画像形成装置において、
トナー像を形成するトナー像形成手段と、
前記トナー像形成手段によって形成されたトナー像を記録媒体に転写させる転写手段と、
前記転写手段の上流側に配置され、前記転写手段に向けて前記記録媒体を送り出す給紙手段と、
加熱されることで前記記録媒体に前記トナー像を定着する定着手段と、
前記定着手段の下流側に設けられ、前記定着手段により前記トナー像が定着された前記記録媒体を排出する排出手段と、
前記排出手段と前記給紙手段との間に略垂直方向に伸びる記録媒体搬送手段と、を備えた、  
ことを特徴とする。
【発明の効果】
【００１８】
請求項１ないし３に記載の発明によれば、香り成分が室内に拡散してしまうことを抑制し、使用者が画像形成装置を使用するたびに安定した強度の香りを提供することができる。
請求項４に記載の発明によれば、紙詰まり処理を行う使用者に確実に香りを提供することができる。ことができる。
請求項５ないし７に記載の発明によれば、画像形成装置の周辺環境の香りが必要以上に強くなることを抑制することができる。
請求項８に記載の発明によれば、画像形成装置の使用者に安定した強度の香りを提供することができる。
請求項９ないし１２に記載の発明によれば、画像形成装置の周辺環境へ安定した強度の香りを簡便で安価な構成で提供することができる。
請求項１３に記載の発明によれば、画像形成装置の周辺環境へ香りを安価な構成で提供することができる。  
【図面の簡単な説明】
【００１９】
【図１】（ａ）は画像形成装置１の外観全体を示す正面概略構成図、（ｂ）は平面部分断面図、（ｃ）は左側面部分断面図、（ｄ）は香り発生装置８０が設置された画像形成装置１の背面斜視図である。
【図２】画像形成装置１の内部構成を示す縦断面図である。
【図３】香り発生装置８０を含む画像形成装置１のハードウェア構成を示すブロック図である。
【図４】（ａ）は香り発生装置８０の１つの構成を示す斜視図、（ｂ）は縦断面図、（ｃ）は香り発生装置８０の開閉機構の構成を示す断面模式図である。
【図５】（ａ）は香り発生装置８０の他の構成を示す斜視図、（ｂ）は縦断面図、（ｃ）は香り発生装置８０Ａの開閉機構の構成を示す断面模式図である。
【図６】排気ファン７２、香り発生装置８０及び吸気ファン７５の動作の流れを示すフローチャートである。
【図７】画像形成装置１Ａの人検知装置１００の機能構成を示すブロック図である。
【図８】画像形成装置１Ａにおける人検知装置１００の人検知範囲を示す模式図である。
【図９】画像形成装置１Ａにおける吸気ファン７５の動作の流れを示すフローチャートである。
【図１０】画像形成装置１Ｂにおける吸気ファン７５の動作の流れを示すフローチャートである。
【図１１】画像形成装置１Ｃにおける吸気ファン７５の動作の流れを示すフローチャートである。
【図１２】画像形成装置１Ｄにおける吸気ファン７５の動作の流れを示すフローチャートである。
【発明を実施するための形態】
【００２０】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００２１】
「第１実施形態」
（１）画像形成装置の全体構成及び動作
図１（ａ）は画像形成装置１の外観全体を示す正面概略構成図、（ｂ）は平面部分断面図、（ｃ）は左側面部分断面図、（ｄ）は香り発生装置８０が設置された画像形成装置１の背面斜視図、図２は画像形成装置１の内部構成を示す縦断面模式図、図３は香り発生装置８０を含む画像形成装置１のハードウェア構成を示すブロック図である。
以下、図面を参照しながら、画像形成装置１の全体構成及び動作を説明する。
【００２２】
（１．１）全体構成
画像形成装置１は、電子写真方式によって画像を形成する画像形成部２と、原稿等の読み取りを行う読取部３が読取装置支持部４によって画像形成部２の上方に支持されて構成されている。
【００２３】
画像形成部２は、筐体Ｆ（不図示）内に、制御装置１０、給紙装置２０、感光体ユニット３０、現像ユニット４０、転写ユニット５０、定着ユニット６０、排気装置７０が配置され（図１（ｃ）、（ｄ）に図示）、筐体Ｆ（不図示）は分割された複数の外装カバー５で覆われて構成されている。
【００２４】
画像形成部２の上面（Ｚ方向）には、画像が記録された用紙が排出・収容される排出トレイ部Ｔが形成されている。さらに、画像形成部２の側面（−Ｘ方向）には、用紙が紙詰まりした際の除去や点検等をする場合に、画像形成装置１の内部を開放する開閉扉ＬＨが回転可能に支持されている。
【００２５】
開閉扉ＬＨには、機外の空気を吸引する吸気口としてルーバ部５ｃが形成され、ルーバ部５ｃの内側には用紙搬送経路に送風する送風手段としての吸気ファン７５が設けられている（図２参照）。
ルーバ部５ｃは、上下方向（Ｚ方向）において、ルーバ部５ａに対して下方（−Ｚ方向）に設けられている（図１（ｃ）、（ｄ）におけるＺ１参照）。
また、ルーバ部５ｃは、上下方向（Ｚ方向）において、第１排紙部６９ａ、第２排紙部６９ｂに対して少なくとも下方（−Ｚ方向）に設けられている（図２参照）。
【００２６】
読取装置支持部４には、外装カバー５の内面側に移動体検知手段としての人感センサ１１０と、人検知カメラ１２０が装着されている。人感センサ１１０及び人検知カメラ１２０は、移動体の一例としての人を検知し、人感センサ１１０で検知された検知信号、人検知カメラ１２０で撮像された画像データを制御装置１０へ送信する送信部１５０を含めて人検知装置１００を構成している。
【００２７】
読取部３の前面側には、ユーザーインターフェイスとしての操作情報部９０が配置されている。操作情報部９０は、液晶表示パネル、各種操作ボタン、タッチパネル等を組み合わせて構成され、画像形成装置１の使用者は、操作情報部９０を介して各種の設定や指示の入力を行う。また、液晶表示パネルを介して画像形成装置１の使用者へ各種情報を表示する。
【００２８】
（１．２）画像形成部
画像形成部２の底部には、多数の記録媒体としての用紙Ｐが積載された給紙装置２０が設けられ、規制板（不図示）で幅方向位置が決められた用紙Ｐは、上側から１枚ずつ用紙引き出し部２２により前方（−Ｘ方向）に引き出された後、レジストローラ対２３のニップ部まで搬送される。
【００２９】
感光体ユニット３０は、給紙装置２０の上方（Ｚ方向）に、それぞれが並列して設けられ、回転駆動する感光体ドラム３１を備えている。それぞれの感光体ドラム３１上にはそれぞれの現像ユニット４０によってイエロー（Ｙ）、マゼンタ（Ｍ）、シアン（Ｃ）、黒（Ｋ）のトナー像が形成される。
【００３０】
各感光体ユニット３０の感光体ドラム３１に形成された各色トナー像は、転写ユニット５０の中間転写ベルト５１上に順次静電転写（一次転写）され、各色トナーが重畳された重畳トナー像が形成される。中間転写ベルト５１上の重畳トナー像は、レジストローラ対２３から送り出され、搬送ガイドにより案内された用紙Ｐに二次転写ローラ５２によって一括転写される。
【００３１】
転写ユニット５０においてトナー像が一括転写された用紙Ｐは、トナー像が未定着の状態で定着ユニット６０に搬送され、一対の加熱モジュール６１と加圧モジュール６２により、圧着と加熱の作用でトナー像が定着される。
定着トナー像が形成された用紙Ｐは、搬送ガイドによってガイドされ、排出ローラ対６９から画像形成部２の上面（Ｚ方向）に形成された排出トレイ部Ｔに排出・収容される。
【００３２】
このように、画像形成装置１は、用紙カセット２１から二次転写ローラ５２を経由して排出ローラ対６９に到達するまでの用紙搬送経路をＣ形状としたＣパス搬送路の構成とすることで、用紙Ｐの搬送経路を最短で形成し、ＦＰＯＴ（first printout time）を最小化できる構成となっている。
【００３３】
用紙引き出し部２２から排出ローラ対６９までの用紙搬送経路内には、用紙搬送路のそれぞれ異なる位置において紙詰まりを検知する用紙センサＳＲ１、ＳＲ２、ＳＲ３が備えられ、それぞれの用紙センサの位置でのジャムの発生の有無を検知する。
紙詰まり処理時には、開閉扉ＬＨを開閉することで、用紙搬送経路内の残留用紙に使用者がアクセスできるように構成され、画像形成装置１の筐体Ｆには、開閉検知手段として機能するインターロックスイッチＩＬが設けられている。
インターロックスイッチＩＬは、開閉扉ＬＨが開放されたときには、電源装置からの電力を遮断する。
【００３４】
発熱を伴う定着ユニット６０や電源装置等から離れた前面底部には、画像形成装置１周辺における揮散成分の残留濃度を検出する揮散成分検知手段として香りセンサＳＮ１が備えられている。
香りセンサＳＮ１としては、金属酸化物半導体センサ、有機導電性ポリマーセンサ、静電容量型センサ等が挙げられ、本実施形態においては金属酸化物半導体センサが用いられている。
【００３５】
画像形成部２には、排気装置７０（図１に図示）が設けられている。排気装置７０は、筐体Ｆ内で画像形成装置１の左側面側に向かって形成された通気ダクト７１を有し、排気手段としての排気ファン７２を回転駆動して外装カバー５に形成された排気口としてのルーバ部５ａから画像形成部２内の熱せられた空気を機外へ排出する。
【００３６】
外装カバー５のルーバ部５ａの外側の凹部５ｂには香り発生装置８０（図４参照）が蓋体８３の可動フラップ機構８５を上側にして設置されている（図１（ｄ）参照）。可動フラップ機構８５は、フラップ制御部１０３を介して、アクチュエータ（不図示）によって駆動され、香り発生装置８０の開口部８２ａを塞ぐ閉鎖位置と開口部８２ａを開放する開放位置とを切り替える。
香り発生装置８０の稼動は使用者が操作情報部９０を介して選択し、稼動が選択されている場合、制御装置１０は可動フラップ機構８５を制御して閉鎖位置と開放位置とを切り替える。  
【００３７】
図３に示すように、制御装置１０は、用紙センサＳＲ１、ＳＲ２、ＳＲ３、インターロックスイッチＩＬ、香りセンサＳＮ１からの検知信号を取得する情報取得部１０１、情報取得部１０１により取得されたそれぞれの値に応じて、吸気ファン７５の駆動を制御するファン駆動部１０２、香り発生装置８０の蓋体８３の開閉を制御するフラップ制御部１０３、吸気ファン７５の駆動時間を決定するタイマ制御部１０４、を備えて構成されている。
【００３８】
（２）香り発生装置の構成と作用
図４（ａ）は香り発生装置８０の１つの構成を示す斜視図、（ｂ）は縦断面図、（ｃ）は香り発生装置８０の開閉機構の構成を示す断面模式図、図５（ａ）は香り発生装置８０の他の構成を示す斜視図、（ｂ）は縦断面図、（ｃ）は香り発生装置８０Ａの開閉機構の構成を示す断面模式図である。
以下図面を参照しながら、香り発生装置８０の構成と作用について説明する。
【００３９】
（２．１）香り発生装置の構成
香り発生装置８０は、揮散性薬剤８１と、揮散性薬剤８１を内部に収容する容器体８２と、容器体８２の開口を覆う蓋体８３を備えて構成されている。
【００４０】
容器体８２は、一端側が開口した有底の凹状容器体で、揮散性薬剤８１を収容する。開口部８２ａは、蓋体８３と接合され、揮散性薬剤８１が収容された容器体８２として密閉されている。
【００４１】
蓋体８３の上面には、開閉機構８５が設けられている。開閉機構８５は、図４に示すように、開口部８２ａを塞ぐ閉鎖位置（図４（ｂ）参照）と互いに離間して開口部８２ａを開放する開放位置（図４（ｃ）参照）とを切り替えるようになっている。
本実施形態では、複数（７枚）のフラップ８６が設けられ、開閉機構８５は、外部に設けられたアクチュエータ（不図示）によって駆動される。
【００４２】
開閉機構８５は、開放位置では、図４（ｃ）に示すようにそれぞれのフラップ８６が形成する通気路８７が断面視一定方向に傾斜して停止するように回転が規制されている。その結果、香り発生装置８０が設置された状態で蓋体８３の上方を空気流が流通した場合には、通気路８７を介して容器体８２の内部から揮散した香り成分が空気流の流通方向に拡散する。
【００４３】
図５には、他の香り発生装置８０Ａの構成を示す。香り発生装置８０Ａの開閉機構８５Ａは、開閉機構８５Ａが水平方向に移動して、容器体８２の開口部８２ａが蓋体８３に形成された開口部８６ａと接続されて通気路８７が形成される（図５（ｃ）参照）。
香り発生装置８０Ａにおいては、開閉機構８５Ａは、外部に設けられたアクチュエータ（不図示）によって駆動され、開口部８２ａを塞ぐ閉鎖位置（図５（ｂ）参照）と通気路８７が形成される開放位置（図５（ｃ）参照）とを切り替えるようになっている。
以下の説明に於いては、香り発生装置８０を例に説明する。
【００４４】
揮散性薬剤８１は、揮散性物質を保持し、容器体８２の収容部Ｓ１内に充填されて保持されたゲル成形体である。ゲル成形体に保持される揮散性物質は、ゲル成形体から揮散により蓋体８３の通気路８７を介して外部に放出される物質であり、揮散性の芳香剤、消香剤などが挙げられる。
【００４５】
ゲル成形体は、揮散性物質を溶解して保持するゲルから形成され、ゲル成分としては、ゼラチン、オイルゲル、吸水ポリマー、多官能の酸とポリオールの重縮合ゲル等の公知のゲルが用いられるが、開口部８２ａ側が上下いずれの方向でも使用できるように、形状保持性を有するように形成される。
【００４６】
（２．２）香り発生装置の作用
香り発生装置８０は、容器体８２内のゲル成形体が蓋体８３の通気路８７を通して空気と接触することになり、ゲル成形体に含まれる揮散性物質としての芳香剤、消香剤等の揮発成分がゲル成形体の表面から外部に揮散し、香り発生装置としての機能を発揮する。
【００４７】
蓋体８３は、開閉機構８５が制御装置１０の開閉制御部１０３を介して、開口部８２ａを塞ぐ閉鎖位置と互いに離間して開口部８２ａを開放する開放位置との間で開閉制御される。
その結果、香り発生装置８０は、開閉機構８５が開放位置に位置した状態では、揮散性物質としての芳香剤を放出し、開閉機構８５が閉鎖位置に位置した状態では、揮散性物質としての芳香剤は放出されない。
【００４８】
画像形成装置１を稼動させると、定着ユニット６０や電源装置等から熱が発生する。そして、発生した熱で画像形成装置１内の暖められた空気は、排気装置７０に設けられた排気ファン７２の回転で外装カバー５に形成されたルーバ部５ａから機外へ排出する。
一方、揮散性薬剤８１の揮散性の芳香剤は、熱によって気化が助長され揮散効率は高くなることが知られている。
香り発生装置８０は、ルーバ部５ａから排気される空気流の下流側に設置されているために、暖められた空気が空気流となって通過して容器体８２や揮散性薬剤８１が暖められる。その結果、排気ファン７２の駆動とともに開閉機構８５の開閉を制御することで、香り発生装置８０から放出された芳香剤の画像形成装置１周辺環境への拡散状態（距離、濃度等）を調整することができる。
【００４９】
（３）排気装置及び香り発生装置の動作
図５は画像形成装置１における排気ファン７２、香り発生装置８０及び吸気ファン７５の動作の流れを示すフローチャートである。
以下図面を参照しながら、排気ファン７２、香り発生装置８０及び吸気ファン７５の動作について説明する。
【００５０】
通常、人の嗅覚は、同じ香りを長時間嗅ぐとその香りに対し嗅覚が低下して、香り発生装置８０から同じ強さの芳香剤が放出された場合、次第にその香りを感じなくなってしまう。また、香りを感じなくなってしまった使用者は、さらに強い芳香剤放出を行うようことがある。
一方、適度な強度の香りは心地よくリフレッシュ感や癒しを与えることができるが、強すぎると不快に感じるようになる虞もある。画像形成装置１が設置された空間における香りの強度を制御しないまま、芳香剤の放出を行った場合、外部から画像形成装置１に近づいた第三者は不快なまでの強い香りに遭遇する虞がある。
【００５１】
本実施形態に係る画像形成装置１においては、制御装置１０は、用紙センサＳＲ１、ＳＲ２、ＳＲ３のいずれかによって紙詰まりが検知された場合に香り発生装置８０の可動フラップ機構８５の開閉を制御して芳香剤を放出させて排気ファン７２を駆動させる。
そして、紙詰まり処理時に、使用者が開閉扉ＬＨを開放して用紙搬送経路内の残留用紙を除去した後、開閉扉ＬＨを閉じたときに、吸気ファン７５を駆動してルーバ部５ｃを介して先に放出された香りを含む画像形成装置１周辺の空気を吸気する。そして、予め定められた時間の経過後に吸気ファン７５の駆動を停止する。
【００５２】
制御装置１０は、印刷ジョブを受取ると、待機状態から定着ユニット６０への通電制御を開始してウォームアップ動作を開始するとともに、排気装置７０の排気ファン７２をＯＮにする（Ｓ１０１）。そして、用紙センサＳＲ１、ＳＲ２、ＳＲ３の検知信号を取得し（Ｓ１０２）、用紙センサＳＲ１、ＳＲ２、ＳＲ３のいずれかがＯＮになった場合（Ｓ１０３：Ｙｅｓ）、可動フラップ機構８５を開放位置にする（Ｓ１０４）。
【００５３】
そして、インターロックスイッチＩＬがＯＮになった場合（Ｓ１０５：Ｙｅｓ）、開閉機構８５を閉止位置に移動させて（Ｓ１０６）香り発生装置８０からの香りの放散を停止するとともに、吸気ファン７５を駆動させ（Ｓ１０７）て、ルーバ部５ｃを介して先に放出された香りを含む画像形成装置１周辺の空気を吸気し、タイマ制御部１０４で設定された駆動時間の経過後（Ｓ１０８：Ｙｅｓ）、吸気ファン７５を停止する（Ｓ１０９）。
【００５４】
画像形成装置１周辺の空気を吸気するルーバ部５ｃは、上下方向（Ｚ方向）において、ルーバ部５ａに対して下方（−Ｚ方向）に設けられている（図１（ｃ）、（ｄ）におけるＺ１参照）。そのために、ルーバ部５ａから放出された香り成分は、画像形成装置１の下方（−Ｚ方向）に沈降しても、ルーバ部５ｃを介して画像形成装置１周辺の空気とともに吸気ファン７５の駆動によって画像形成装置１の内部へ吸引される。
【００５５】
また、ルーバ部５ｃは、上下方向（Ｚ方向）において、第１排紙部６９ａ、第２排紙部６９ｂに対して少なくとも下方（−Ｚ方向）に設けられている（図２参照）。そのために、画像形成装置１の内部へ吸引された香り成分は、第１排紙部６９ａ、第２排紙部６９ｂを通じて、再度、画像形成装置１の外部へ排出されにくく、画像形成装置１の内部に滞留する。
【００５６】
その結果、紙詰まり処理の際に、香り成分が画像形成装置１の周辺を含む室内に必要以上に拡散してしまうことを抑制し、使用者の香りに対する嗅覚の低下を抑制することができる。
【００５７】
「第２実施形態」
図６は画像形成装置１Ａの人検知装置１００の機能構成を示すブロック図、図７は画像形成装置１Ａにおける人検知装置１００の人検知範囲を示す模式図、図８は画像形成装置１Ａにおける吸気ファン７５の動作の流れを示すフローチャートである。
以下図面を参照しながら、排気ファン７２、香り発生装置８０及び吸気ファン７５の動作について説明するが、第１実施形態に係る画像形成装置１と共通の構成要素には、同一の符号を付し、その詳細な説明は省略する。
【００５８】
本実施形態に係る画像形成装置１Ａは、移動体検知手段としての人検知装置１００により検知された移動体としての操作者が予め定められた領域内において検知されなくなったときに、吸気ファン７５を駆動させて、先に放出された香りを含む画像形成装置１Ａ周辺の空気を吸気する。
【００５９】
制御装置１０Ａは、人感センサ１１０が予め定められた領域（図６に示す検知範囲Ａ１）内に人が入ってきたことを検知すると、検知信号が制御部１６０に送られる（Ｓ２０１）。
制御部１６０は、人感センサ１１０の検知信号に基づいて、人検知カメラ１２０をＯＮにして、人検知カメラ１２０の撮像領域（図６に示す撮像範囲Ａ２）において撮影された画像データを取得する（Ｓ２０２）。
【００６０】
そして、判定処理部１４０は、検知された人が「使用者」か「非使用者」かの判定を行う（Ｓ２０３）。具体的には、取得される画像データから人の位置座標を時系列に沿って算出し、算出される位置座標の変化に基づいて、予め定められた人検知カメラ１２０の撮像領域内における人が「使用者」又は「非使用者」の判定を行う。
撮像領域内で検知された人が「使用者」と判定された場合（Ｓ２０３：Ｙｅｓ）、可動フラップ機構８５を開放位置にして（Ｓ２０４）芳香剤を放出する。
【００６１】
「使用者」が画像形成装置１Ａから離れる状態においては、人検知カメラ１２０の撮像領域（Ａ２）で人が検知されているか否か判断され（Ｓ２０５）、人が検知されなくなった（Ｓ２０５：Ｙｅｓ）ときに、開閉機構８５を閉止位置に移動させて（Ｓ２０６）香り発生装置８０からの香りの放散を停止するとともに、吸気ファン７５を駆動させ（Ｓ２０７）て、ルーバ部５ｃを介して先に放出された香りを含む画像形成装置１Ａ周辺の空気を吸気し、タイマ制御部１０４で設定された駆動時間の経過後（Ｓ２０８：Ｙｅｓ）、吸気ファン７５を停止する（Ｓ２０９）。
【００６２】
その結果、香り成分が画像形成装置１Ａの周辺を含む室内に必要以上に拡散してしまうことを抑制し、使用者の香りに対する嗅覚の低下を抑制することができる。
【００６３】
「第３実施形態」
図９は画像形成装置１Ｂにおける吸気ファン７５の動作の流れを示すフローチャートである。
以下図面を参照しながら、吸気ファン７５の動作について説明するが、第１実施形態に係る画像形成装置１と共通の構成要素には、同一の符号を付し、その詳細な説明は省略する。
【００６４】
本実施形態に係る画像形成装置１Ｂは、操作情報部９０において、操作者の入力操作が受け付けられなくなって、予め定められた時間が経過したときに、吸気ファン７５を駆動させて先に放出された香りを含む画像形成装置１Ｂ周辺の空気をルーバ部５ｃを介して吸気する。
【００６５】
制御装置１０は、操作情報部９０において、操作者の入力操作を受け付けると（Ｓ３０１）、開閉機構８５を開放位置にして（Ｓ３０２）芳香剤を放出する。
そして、操作者の入力操作が受け付けられなくなって、予め定められた時間が経過したときに（Ｓ３０３：Ｙｅｓ）、開閉機構８５を閉止位置に移動させて（Ｓ３０４）香り発生装置８０からの香りの放散を停止するとともに、吸気ファン７５を駆動させ（Ｓ３０５）て、ルーバ部５ｃを介して先に放出された香りを含む画像形成装置１Ｂ周辺の空気を吸気し、タイマ制御部１０４で設定された駆動時間の経過後（Ｓ３０６：Ｙｅｓ）、吸気ファン７５を停止する（Ｓ３０７）。
【００６６】
その結果、香り成分が画像形成装置１Ｂの周辺を含む室内に必要以上に拡散してしまうことを抑制し、使用者の香りに対する嗅覚の低下を抑制することができる。
【００６７】
「第４実施形態」
図１０は画像形成装置１Ｃにおける吸気ファン７５の動作の流れを示すフローチャートである。
以下図面を参照しながら、吸気ファン７５の動作について説明するが、第１実施形態に係る画像形成装置１と共通の構成要素には、同一の符号を付し、その詳細な説明は省略する。
【００６８】
本実施形態に係る画像形成装置１Ｃは、画像形成装置１Ｃ周辺における揮散成分の残留濃度を検知する香りセンサＳＮ１が検知した値に基づいて香り発生装置８０の開閉機構８５の開閉を制御して、香り発生装置８０からの香りの放散を停止するとともに、吸気ファン７５を駆動させて、先に放出された香りを含む画像形成装置１周辺の空気を吸気する。
【００６９】
制御装置１０Ｃは、香りセンサＳＮ１が検知した揮散成分の現在の残留濃度Ｍ１を取得し（Ｓ４０１）、残留濃度Ｍ１が予め定められた閾値Ｍｔｈを越えているか否か判断する（Ｓ４０２）。
残留濃度Ｍ１が予め定められた閾値Ｍｔｈを超えている場合（Ｓ４０２：Ｙｅｓ）、香り発生装置８０の開閉機構８５を閉止位置に移動させて（Ｓ４０３）香り発生装置８０からの香りの放散を停止するとともに、吸気ファン７５を駆動させ（Ｓ４０４）て、先に放出された香りを含む画像形成装置１周辺の空気をルーバ部５ｃを介して吸気する。
そして、残留濃度Ｍ１が予め定められた閾値Ｍｔｈ以下になっている場合（Ｓ４０５：Ｙｅｓ）、吸気ファン７５を停止する（Ｓ４０６）。
【００７０】
その結果、香り成分が画像形成装置１Ｃの周辺を含む室内に必要以上に拡散してしまうことを抑制し、使用者の香りに対する嗅覚の低下を抑制することができる。
【００７１】
「第５実施形態」
図１１は画像形成装置１Ｄにおける吸気ファン７５の動作の流れを示すフローチャートである。
以下図面を参照しながら、吸気ファン７５の動作について説明するが、第１実施形態に係る画像形成装置１と共通の構成要素には、同一の符号を付し、その詳細な説明は省略する。
【００７２】
本実施形態に係る画像形成装置１Ｄは、排気ファン７２を駆動させて芳香剤を放出したあと、予め定められた時間が経過したときに、香り発生装置８０の開閉機構８５の開閉を制御して、香り発生装置８０からの香りの放散を停止するとともに、吸気ファン７５を駆動させて、先に放出された香りを含む画像形成装置１Ｄ周辺の空気を吸気する。
【００７３】
制御装置１０Ｄは、印刷ジョブを受取ると、待機状態から定着ユニット６０への通電制御を開始してウォームアップ動作を開始するとともに、排気装置７０の排気ファン７２をＯＮにする（Ｓ５０１）。そして、香りの放出時間Ｔ０を設定して（Ｓ５０３）香り発生装置８０の開閉機構８５を開放位置にする（Ｓ５０４）。
【００７４】
そして、予め定められた放出時間Ｔ０が経過したときに（Ｓ５０４：Ｙｅｓ）、開閉機構８５を閉止位置に移動させて（Ｓ５０５）香り発生装置８０からの香りの放散を停止するとともに、吸気ファン７５を駆動させて（Ｓ５０６）、ルーバ部５ｃを介して先に放出された香りを含む画像形成装置１Ｄ周辺の空気を吸気する。
その後、タイマ制御部１０４で設定された駆動時間の経過後（Ｓ５０７：Ｙｅｓ）、吸気ファン７５を停止する（Ｓ５０８）。  
【００７５】
その結果、香り成分が画像形成装置１Ｄの周辺を含む室内に必要以上に拡散してしまうことを抑制し、使用者の香りに対する嗅覚の低下を抑制することができる。
【符号の説明】
【００７６】
１、１Ａ、１Ｂ、１Ｃ、１Ｄ・・・画像形成装置
２・・・画像形成部
３・・・読取部
４・・・読取装置支持部
５・・・外装カバー
５ａ、５ｃ・・・ルーバ部
１０・・・制御装置
１０１・・・情報取得部
１０２・・・ファン駆動部
１０３・・・開閉制御部
１０４・・・タイマ制御部
２０・・・給紙装置
３０・・・感光体ユニット
４０・・・現像ユニット
５０・・・転写ユニット
６０・・・定着ユニット
６９ａ・・・第１排紙部
６９ａ・・・第２排紙部
７０・・・排気装置
７１・・・通気ダクト
７２・・・排気ファン
７５・・・吸気ファン
８０、８０Ａ・・・香り発生装置
８５、８５Ａ・・・開閉機構
９０・・・操作情報部
１００・・・人検知装置
ＳＲ１、ＳＲ２、ＳＲ３・・・用紙センサ
ＳＮ１・・・香りセンサ
ＩＬ・・・インターロックスイッチ
【図１】
2016139033.tif 000003
【図２】
2016139033.tif 000004
【図３】
2016139033.tif 000005
【図４】
2016139033.tif 000006
【図５】
2016139033.tif 000007
【図６】
2016139033.tif 000008
【図７】
2016139033.tif 000009
【図８】
2016139033.tif 000010
【図９】
2016139033.tif 000011
【図１０】
2016139033.tif 000012
【図１１】
2016139033.tif 000013
【図１２】
2016139033.tif 000014